(57)【特許請求の範囲】
【請求項１】
１つの番組を第一デジタル放送情報と該第一デジタル放送情報より遅れて送信される第二デジタル放送情報とによってサイマル放送されるデジタル放送を受信する受信部から受信した、再生時刻情報である第一時刻管理情報を含む該第一デジタル放送情報および、同一番組上の同一タイミングに該第一時刻管理情報と同じ第二時刻管理情報を含む該第二デジタル放送情報を再生するデジタル放送再生装置であって、
該第一デジタル放送情報を再生すると共に該第一時刻管理情報を抽出する第一再生部と、
該第一デジタル放送情報に対応する該第二デジタル放送情報を再生すると共に該第二時刻管理情報を抽出する第二再生部と、
受信した該第一デジタル放送情報および該第二デジタル放送情報を記憶する記憶部と、
該第一デジタル放送情報の視聴中断の指示があった場合に該受信部で受信した第二デジタル放送情報を該記憶部へ書き込み、視聴再開の指示があった場合に該記憶部に書き込まれた該第二デジタル放送情報を該第二再生部に通常の視聴よりも高速に再生させ、受信した該第一デジタル放送情報から抽出した該第一時刻管理情報による第一再生時刻と再生された該第二デジタル放送情報から抽出した該第二時刻管理情報による第二再生時刻との差が第一所定値以下になった場合に該第一デジタル放送情報の該記憶部への書き込みを開始し、受信した該第二デジタル放送情報および再生された該第二デジタル放送情報からそれぞれ抽出した該第二時刻管理情報によるそれぞれの第二再生時刻の差が第二所定値以下になった場合に該記憶部へ書き込んだ該第一デジタル放送情報を該第一再生部に通常の視聴よりも高速に再生させる制御部と
を有することを特徴とするデジタル放送再生装置。
【請求項２】
該制御部は、更に、受信した該第一デジタル放送情報および再生された該第一デジタル放送情報からそれぞれ抽出した該第一時刻管理情報によるそれぞれの第一再生時刻の差が第三所定値以下になった場合受信した該第一デジタル放送情報を再生することを特徴とする、請求項１に記載のデジタル放送再生装置。
【請求項３】
該制御部は、該視聴再開の指示があった場合に、該記憶部に書き込まれた該第二デジタル放送情報の未再生なデータ量が、通常の視聴よりも高速に再生させる場合にゼロになると予測される時刻より早い時刻において該第一デジタル放送情報の該記憶部への書き込みを開始することを特徴とする、請求項１に記載のデジタル放送再生装置。
【請求項４】
該第一再生部は、該第二デジタル放送情報のタイムシフト再生から該第一デジタル放送情報のタイムシフト再生に切り替わる前に情報処理済みの該第一デジタル放送情報を一時記憶する記憶部を有することを特徴とする、請求項１に記載のデジタル放送再生装置。
【請求項５】
１つの番組を第一デジタル放送情報と該第一デジタル放送情報より遅れて送信される第二デジタル放送情報とによってサイマル放送されるデジタル放送を受信する受信部から受信した、再生時刻情報である第一時刻管理情報を含む該第一デジタル放送情報および、同一番組上の同一タイミングに該第一時刻管理情報と同じ第二時刻管理情報を含む該第二デジタル放送情報を再生し、該第一デジタル放送情報を再生すると共に該第一時刻管理情報を抽出する第一再生部と、該第一デジタル放送情報に対応する該第二デジタル放送情報を再生すると共に該第二時刻管理情報を抽出する第二再生部と、該第一デジタル放送情報および該第二デジタル放送情報を記憶する記憶部とを有するデジタル放送再生装置の制御方法であって、
該第一デジタル放送情報の視聴中断の指示があった場合に該受信部で受信した第二デジタル放送情報を該記憶部へ書き込み、
視聴再開の指示があった場合に該記憶部に書き込まれた該第二デジタル放送情報を該第二再生部に通常の視聴よりも高速に再生させ、
受信した該第一デジタル放送情報から抽出した該第一時刻管理情報による第一再生時刻と再生された該第二デジタル放送情報から抽出した該第二時刻管理情報による第二再生時刻との差が第一所定値以下になった場合に該第一デジタル放送情報の該記憶部への書き込みを開始し、
受信した該第二デジタル放送情報および再生された該第二デジタル放送情報からそれぞれ抽出した該第二時刻管理情報によるそれぞれの第二再生時刻の差が第二所定値以下になった場合に該記憶部へ書き込んだ該第一デジタル放送情報を該第一再生部に通常の視聴よりも高速に再生させることを特徴とするデジタル放送再生装置の制御方法。
【請求項６】
１つの番組を第一デジタル放送情報と該第一デジタル放送情報より遅れて送信される第二デジタル放送情報とによってサイマル放送されるデジタル放送を受信する受信部から受信した、再生時刻情報である第一時刻管理情報を含む該第一デジタル放送情報および、同一番組上の同一タイミングに該第一時刻管理情報と同じ第二時刻管理情報を含む該第二デジタル放送情報を再生し、該第一デジタル放送情報を再生すると共に該第一時刻管理情報を抽出する第一再生部と、該第一デジタル放送情報に対応する該第二デジタル放送情報を再生すると共に該第二時刻管理情報を抽出する第二再生部と、該第一デジタル放送情報および該第二デジタル放送情報を記憶する記憶部と、コンピュータを有するデジタル放送再生装置の制御プログラムであって、
該コンピュータに、
該第一デジタル放送情報の視聴中断の指示があった場合に該受信部で受信した第二デジタル放送情報を該記憶部へ書き込む機能と、
視聴再開の指示があった場合に該記憶部に書き込まれた該第二デジタル放送情報を該第二再生部に通常の視聴よりも高速に再生させる機能と、
受信した該第一デジタル放送情報から抽出した該第一時刻管理情報による第一再生時刻と再生された該第二デジタル放送情報から抽出した該第二時刻管理情報による第二再生時刻との差が第一所定値以下になった場合に該第一デジタル放送情報の該記憶部への書き込みを開始する機能と、
受信した該第二デジタル放送情報および再生された該第二デジタル放送情報からそれぞれ抽出した該第二時刻管理情報によるそれぞれの第二再生時刻の差が第二所定値以下になった場合に該記憶部へ書き込んだ該第一デジタル放送情報を該第一再生部に通常の視聴よりも高速に再生させる機能と
を実現させることを特徴とする制御プログラム。
【発明の詳細な説明】
【技術分野】
【０００１】
本発明は、デジタル放送再生装置に関する。
【背景技術】
【０００２】
デジタル放送再生装置はデジタル放送を受信する受信部から受信したデジタル放送情報を視聴可能な情報に復調および復号する。例えば日本では、デジタル放送は1チャンネル分の周波数帯域を１３分割して放送される。分割したそれぞれの領域はセグメントと呼ばれる。ワンセグ放送が運用される場合、フルセグ放送は分割した１３のセグメントのうちの１２のセグメントを用いて放送される。例えばフルセグ放送のビットレートを１６Ｍｂｐｓとすると、フルセグ放送のデジタル放送情報であるフルセグ放送データを1時間記憶する場合、記憶装置には少なくとも７．２ＧＢの記憶容量が必要となる。
【０００３】
デジタル放送の運用形態として、フルセグ放送とワンセグ放送で同一の番組が同時に放送されているサイマル放送がある。サイマル放送において、フルセグ放送に対応するワンセグ放送は、分割した１３のセグメントのうちフルセグ放送で使用していない１つのセグメントを用いて放送される。ワンセグ放送はフルセグ放送に比べてセグメント数が少ないため、送信可能な単位時間当りのデータ量も小さくなる。例えばワンセグ放送のビットレートが約４００ｋｂｐｓであるとすると、ワンセグ放送のデジタル放送情報であるワンセグ放送データを１時間記憶する場合、記憶装置に必要な記憶容量は１８０ＭＢとなる。つまりワンセグ放送データの記憶に必要な記憶容量はフルセグ放送データを記憶する場合に比べ１／４０となる。
【０００４】
デジタル放送をＨＤＤ（Ｈａｒｄ  Ｄｉｓｋ  Ｄｒｉｖｅ）やメモリのようにランダムアクセス可能な記憶装置に記憶させることにより、タイムシフト再生が可能となる。タイムシフト再生はデジタル放送の視聴を中断している間に受信したデジタル放送データを記憶装置に一時記憶し、視聴再開後にリアルタイムの視聴に復帰するまで一時記憶したデータを早送り再生する方式である。
【０００５】
タイムシフト再生を実現しようとする場合、携帯端末などの小型の装置では筐体の大きさにより実装可能な記憶装置の記憶容量が制限される。記憶領域の制限によりフルセグ放送データでの記憶が困難な場合、リアルタイムの視聴はフルセグ放送データで行い、視聴中断中の放送はワンセグ放送データで記憶する。これにより、タイムシフト再生を実現するために記憶するデータ量を小さくすることが出来る。
【０００６】
以下の特許文献にはタイムシフト再生に関する技術が開示されている。
【先行技術文献】
【特許文献】
【０００７】
【特許文献１】特開平２００１−２１６７３１号公報
【特許文献２】特開平２００７−４３３５８号公報
【特許文献３】特開平２００７−２５１８６７号公報
【０００８】
サイマル放送データを送信する放送局は放送コンテンツに対し、ワンセグ放送とフルセグ放送のそれぞれに符号化処理および変調処理を行い、放送データを送出する。ワンセグ放送とフルセグ放送の符号化処理および変調処理の違いにより、ワンセグ放送データは対応するフルセグ放送データよりも遅れて送信される。この送信遅延により、フルセグ放送視聴中断中の映像をワンセグ放送データで記憶しタイムシフト再生すると、ワンセグ放送データのタイムシフト再生からリアルタイムのフルセグ放送受信に復帰するときにタイムラグが発生する。
【発明の概要】
【発明が解決しようとする課題】
【０００９】
本発明の一実施例では、最適な記憶容量でタイムシフト再生からタイムラグを生じることなくリアルタイム視聴に切替え可能なデジタル放送再生装置を提供することを目的とする。
【課題を解決するための手段】
【００１０】
上記課題を解決するため、１つの番組を第一デジタル放送情報と該第一デジタル放送情報より遅れて送信される第二デジタル放送情報とによってサイマル放送されるデジタル放送を受信する受信部から受信した、再生時刻情報である第一時刻管理情報を含む該第一デジタル放送情報および、同一番組上の同一タイミングに該第一時刻管理情報と同じ第二時刻管理情報を含む該第二デジタル放送情報を再生するデジタル放送再生装置は、該第一デジタル放送情報を再生すると共に該第一時刻管理情報を抽出する第一再生部と、該第一デジタル放送情報に対応する該第二デジタル放送情報を再生すると共に該第二時刻管理情報を抽出する第二再生部と、受信した該第一デジタル放送情報および該第二デジタル放送情報を記憶する記憶部と、該第一デジタル放送情報の視聴中断の指示があった場合に該受信部で受信した第二デジタル放送情報を該記憶部へ書き込み、視聴再開の指示があった場合に該記憶部に書き込まれた該第二デジタル放送情報を該第二再生部に通常の視聴よりも高速に再生させ、受信した該第一デジタル放送情報から抽出した該第一時刻管理情報による第一再生時刻と再生された該第二デジタル放送情報から抽出した該第二時刻管理情報による第二再生時刻との差が第一所定値以下になった場合に該第一デジタル放送情報の該記憶部への書き込みを開始し、受信した該第二デジタル放送情報および再生された該第二デジタル放送情報からそれぞれ抽出した該第二時刻管理情報によるそれぞれの第二再生時刻の差が第二所定値以下になった場合に該記憶部へ書き込んだ該第一デジタル放送情報を該第一再生部に通常の視聴よりも高速に再生させる制御部を有する。
【発明の効果】
【００１１】
実施形態によれば、最適な記憶容量でタイムシフト再生からタイムラグを生じることなくリアルタイム視聴に切替え可能なデジタル放送再生装置を提供することが出来る。
【図面の簡単な説明】
【００１２】
【図１】デジタル放送再生装置の全体ブロック図である。
【図２】デジタル放送データの構造概略図である。
【図３】タイムシフト再生処理のフローチャート図である。
【図４】タイムシフト再生のタイミングチャート図である。
【図５】記憶部１２における未再生記憶データ量の時間変化図である。
【発明を実施するための形態】
【００１３】
以下、本実施の形態について説明する。なお、各実施形態における構成の組み合わせも本発明の実施形態に含まれる。
【００１４】
図１は本実施の形態に係るデジタル放送再生装置１０の全体ブロック図である。デジタル放送再生装置１０はワンセグチューナ１、フルセグチューナ２、ワンセグ復調部３、フルセグ復調部４、ワンセグ再生部２３、フルセグ再生部２４、セレクタ９、選択記憶制御部１１、選択再生制御部１３、記憶部１２、制御部１４を有する。
【００１５】
ワンセグチューナ１は受信したワンセグ放送のうち１つの周波数帯に割り当てられたチャネルのワンセグ放送を選択し出力する。フルセグチューナ２は受信したフルセグ放送のうちワンセグチューナ１で選択したチャネルに対応するフルセグ放送を選択し出力する。
【００１６】
ワンセグ復調部３はワンセグチューナ１で選択されたチャネルのワンセグ放送をデジタル信号に復調する。同様にフルセグ復調部４はフルセグチューナ２で選択されたチャネルのフルセグ放送をデジタル信号に復調する。
【００１７】
ワンセグ再生部２３はワンセグ放送データを再生すると共にワンセグ放送データの再生時刻情報であるＰＴＳ（Ｐｒｅｓｅｎｔａｔｉｏｎ  Ｔｉｍｅ  Ｓｔａｍｐ）を抽出する。ＰＴＳはデータ再生時の時刻管理情報である。また、ワンセグ再生部２３はワンセグデマックス５、ワンセグ復号部７を有する。ＰＴＳについては、図２の概略構成図に従って詳細に説明する。
【００１８】
図２はデジタル放送における放送データ構造の概略構成図である。図２において、ＴＳ（Ｔｒａｎｓｐｏｒｔ  Ｓｔｒｅａｍ）はいくつかの個々に符号化されたストリームをＴＳパケットと呼ばれる伝送単位で時分割多重したものである。時分割多重とは、映像や音声などの複数の信号を一つの伝送路で伝送するために、伝送路を時間で分割し、分割した時間のそれぞれに対して信号を割り当てて伝送する方式である。
【００１９】
ＴＳパケットはＴＳを構成する固定長のパケットである。ＴＳパケットはそれぞれヘッダとペイロードを有する。ヘッダはＰＩＤ（Ｐａｃｋｅｔ  ＩＤ）と呼ばれる識別番号を有する。ペイロードはデータを格納する。ＰＩＤの値は各ヘッダに対応するペイロードに格納されたデータの種類によって異なる。デジタル放送再生装置１０はＰＩＤにより、複数のＴＳパケットの中から１つのＰＥＳパケットに対応するＴＳパケットをフィルタリングすることが出来る。
【００２０】
ＰＥＳ（Ｐａｃｋｅｔｉｚｅｄ  Ｅｌｅｍｅｎｔａｒｙ  Ｓｔｒｅａｍ）パケットは１つのＥＳ（Ｅｌｅｍｅｎｔａｒｙ  Ｓｔｒｅａｍ）をパケット化したものである。同一のＰＩＤを有するＴＳパケットのペイロードをつなぐことで１つのＥＳを有するＰＥＳパケットを抽出することが出来る。図１のワンセグデマックス５およびフルセグデマックス６はＰＥＳパケットを抽出する。
【００２１】
ＰＥＳパケットはＰＥＳヘッダとＥＳを有する。ＰＥＳヘッダはＰＴＳ（Ｐｒｅｓｅｎｔａｔｉｏｎ  Ｔｉｍｅ  Ｓｔａｍｐ）を有する。ＰＴＳは再生時の時刻管理情報である。図１のワンセグデマックス５およびフルセグデマックス６はＰＥＳパケットからＰＴＳ２０、２２を抽出する。
【００２２】
ＰＴＳは時系列順に時刻情報が割り当てられているため、ＰＴＳの大小関係を比較することによりそれぞれのＰＥＳパケット内の映像データ、音声データを再生すべき時刻を把握することが出来る。
【００２３】
図１の説明に戻る。ワンセグデマックス５は制御信号１９に応じてワンセグ復調部３または選択再生制御部１３から出力される復調後のワンセグ放送データを映像や音声等データの種類ごとに分離する。ワンセグデマックス５は制御信号１９に応じて選択再生制御部１３から出力されるワンセグ放送データを処理する場合に、リアルタイム視聴の場合よりも速い再生速度で分離処理することが出来る。
【００２４】
ワンセグデマックス５は受信したワンセグ放送データからＰＴＳ値を抽出しＰＴＳ２０として制御部１４に出力する。ＰＴＳ２０はワンセグ復調部３および選択再生制御部１３から受信するワンセグ放送データのＰＴＳ値の差分値であってもよいし、それぞれのＰＴＳ値であってもよい。また本実施例ではＰＴＳをワンセグデマックス５で抽出するが、後述するワンセグ復号部７で抽出しても良い。
【００２５】
ワンセグ復号部７はワンセグ放送データから分離した映像や音声等のデータ間のタイミングを調整し、視聴可能なデータに並べ替えて出力する。ワンセグ復号部７は復号処理したワンセグ放送データを一時記憶するメモリ等の記憶部を設けていても良い。復号処理済のワンセグ放送データを一時記憶することにより、フルセグ視聴からワンセグ視聴へ切り替える場合の処理遅延を解消することが出来る。
【００２６】
フルセグ再生部２４はフルセグ放送データを再生すると共にフルセグ放送データの再生時刻情報であるＰＴＳを抽出する。フルセグ再生部２４はフルセグデマックス６、フルセグ復号部８を有する。
【００２７】
フルセグデマックス６は復調したフルセグ放送データを映像や音声等データの種類ごとに分離する分離部である。フルセグデマックス６は制御信号２１に応じてフルセグ復調部４または選択再生制御部１３から出力されるフルセグ放送データを分離処理する。フルセグデマックス６は制御信号２１に応じて選択再生制御部１３から出力されるフルセグ放送データを処理する場合に、リアルタイム視聴の場合よりも速い再生速度で分離処理することが出来る。
【００２８】
フルセグデマックス６は受信したフルセグ放送データからＰＴＳ値を抽出しＰＴＳ２２として制御部１４に出力する。ＰＴＳ２２はフルセグ復調部４および選択再生制御部１３から受信するフルセグ放送データのＰＴＳ値の差分値であってもよいし、それぞれのＰＴＳ値であってもよい。
【００２９】
フルセグデマックス６はワンセグ放送情報のタイムシフト再生からフルセグ放送情報のタイムシフト再生に切り替わる前に情報処理済みのフルセグ放送情報を一時記憶するメモリ等の記憶部を有してもよい。情報処理済のフルセグ放送データを一時記憶することにより、ワンセグ視聴からフルセグ視聴へ切り替える場合の処理遅延を解消することが出来る。
【００３０】
また本実施例ではＰＴＳをフルセグデマックス６で抽出するが、後述するフルセグ復号部８で抽出しても良い。
【００３１】
フルセグ復号部８はフルセグ放送データから分離した映像や音声等のデータ間のタイミングを調整し、視聴可能なデータに並べ替えて出力する。フルセグ復号部８は復号処理したフルセグ放送データを一時記憶するメモリ等の記憶部を有していても良い。復号処理済のフルセグ放送データを一時記憶することにより、ワンセグ視聴からフルセグ視聴へ切り替える場合の処理遅延を解消することが出来る。
【００３２】
セレクタ９は制御部１４から出力される選択信号１５に応じてワンセグ復号部７またはフルセグ復号部８から出力される復号済みの放送データを選択し、モニタなどの出力装置へ出力する。
【００３３】
選択記憶制御部１１は制御部１４から出力される選択信号１６に応じてワンセグ復調部３またはフルセグ復調部４のいずれか一方の出力を選択し記憶部１２に記憶させる。
【００３４】
記憶部１２は選択記憶制御部１１から出力される復調後の放送データを記憶する。本実施例ではデマックス処理前のワンセグ放送データまたはフルセグ放送データを記憶するが、デマックス処理後のデータを記憶しても良い。デマックス後のデータを記憶することにより、記憶部１２に記憶するデータ量を削減することが出来る。
【００３５】
選択再生制御部１３は制御部１４から出力される選択信号１７に応じて記憶部１２からワンセグ放送データまたはフルセグ放送データを読み出す。選択再生制御部１３はワンセグ放送データを読み出した場合はワンセグデマックス５に読み出したデータを送信する。選択再生制御部１３はフルセグ放送データを読み出した場合はフルセグデマックス６に読み出したデータを送信する。
【００３６】
制御部１４は視聴中断後に受信したワンセグ放送データを記憶部１２に記憶させる。制御部１４は視聴再開した場合に記憶したワンセグ放送データを通常の視聴よりも高速にワンセグ再生部２３にタイムシフト再生させる。制御部１４は抽出したＰＴＳ２０およびＰＴＳ２２に基づいてタイムシフト再生されたワンセグ放送データが受信中のフルセグ放送に追いつく第一時間前にフルセグ放送データの記憶を開始させる。制御部１４はＰＴＳ２０に基づいてタイムシフト再生されたワンセグ放送データが受信中のワンセグ放送に追いつく時間に記憶部１２へ記憶したフルセグ放送データをフルセグ再生部２４にタイムシフト再生させる。制御部１４の動作の詳細は図３のフローチャートに従って説明する。
【００３７】
図３はデジタル放送再生装置１０におけるタイムシフト再生処理のフローチャート図である。デジタル放送再生装置１０において、制御部１４はセレクタ９に対し、フルセグ再生部２４から出力されるフルセグ放送データを出力するように選択信号１５を出力する（Ｓ１０）。フルセグ放送データの出力は視聴中断のユーザ指示信号１８が入力されるまで続く（Ｓ１１、ＮＯ）。
【００３８】
視聴中断のユーザ指示信号１８が制御部１４に入力されると（Ｓ１１、ＹＥＳ）、制御部１４はワンセグ録画を開始するための選択信号１６を選択記憶制御部１１に出力する（Ｓ１２）。選択記憶制御部１１は選択信号１６に応じてワンセグ復調部３から出力されるワンセグ放送データを選択し記憶部１２に出力する。
【００３９】
ワンセグ録画は視聴再開を指示するユーザ指示信号１８が入力されるまで継続される（Ｓ１３、ＮＯ）。視聴再開を指示するユーザ指示信号１８が制御部１４に入力されると（Ｓ１３、ＹＥＳ）、制御部１４はワンセグ放送データでタイムシフト再生を開始するための選択信号１７を選択再生制御部１３に出力する。選択再生制御部１３は選択信号１７に応じて記憶部１２に記憶したワンセグ放送データを再生データとして選択し、ワンセグデマックス５にデータを出力する（Ｓ１４）。制御部１４は選択再生制御部１３から出力されたワンセグ放送データを選択し、タイムシフト再生に対応する転送速度で出力するように制御信号１９をワンセグデマックス５に出力する（Ｓ１４）。制御部１４はワンセグ復号部７から出力されるワンセグ放送データを選択し出力するように選択信号１５をセレクタ９に出力する（Ｓ１４）。
【００４０】
フルセグ復調部４から出力されるリアルタイム受信中のフルセグ放送データに基づいてフルセグデマックス６により抽出されるＰＴＳ値をＰＴＳ１とする。選択再生制御部１３から出力されるワンセグ放送データに基づいてワンセグデマックス５により抽出されるＰＴＳ値をＰＴＳ２とする。制御部１４はＰＴＳ１とＰＴＳ２の差分（ＰＴＳ１−ＰＴＳ２）が制御部１４にあらかじめ設定された閾値１以下になるまでワンセグ再生を継続する（Ｓ１５、ＮＯ）。
【００４１】
閾値１は制御部１４にあらかじめ設定されている値である。フルセグ放送データとワンセグ放送データのタイムラグをＴＤ、タイムシフト再生速度の早送り倍率をＳとすると、閾値１はＴＤ×Ｓに基づく値となる。すなわちＰＴＳの差分が閾値１以下になる時間は、タイムシフト再生の再生速度と、フルセグ放送情報とワンセグ放送情報とのタイムラグに基づいて算出される。フルセグ放送とワンセグ放送の同一番組上の同一タイミングの映像、音声データに対応するＰＴＳにオフセットがある場合には、このオフセットを加味した閾値を設定するものとする。また、出力データの表示時刻、復号処理遅延時間などを考慮して閾値１にマージンを持たせて設定しても良い。
【００４２】
なお、ＰＴＳの差分が閾値１以下となったかどうかを判定する基準として、記憶部１２に記憶している未再生のワンセグ放送データ量を用いても良い。タイムシフト再生速度の早送り倍率Ｓから未再生のワンセグ放送データ量が後どのくらいでゼロになるかを予測することが出来る。すなわちＰＴＳの差分が閾値１以下になる時間は、記憶部１２に記憶された未再生のワンセグ放送情報と、タイムシフト再生の再生速度に基づいて算出される。ワンセグ放送データ量がゼロになる時刻に応じて閾値１を設定することにより、ＰＴＳの差分を比較するときと同様にフルセグ放送データの記憶へと動作を切り替えるタイミングを判定することが出来る。
【００４３】
制御部１４はＰＴＳ１とＰＴＳ２の差分（ＰＴＳ１−ＰＴＳ２）が閾値１以下になると（Ｓ１５、ＹＥＳ）、フルセグ録画を開始するための選択信号１６を出力する（Ｓ１６）。選択記憶制御部１１はフルセグ復調部４から出力されるフルセグ放送データを選択し、記憶部１２に出力する（Ｓ１６）。
【００４４】
ワンセグ復調部３から出力されるリアルタイム受信中のワンセグ放送データに基づいてワンセグデマックス５により抽出されるＰＴＳ値をＰＴＳ３とする。制御部１４はＰＴＳ３とＰＴＳ２の差分（ＰＴＳ３−ＰＴＳ２）が制御部１４にあらかじめ設定された閾値２以下になるまでワンセグ放送データのタイムシフト再生を継続する（Ｓ１７、ＮＯ）。制御部１４は（ＰＴＳ３−ＰＴＳ２）が閾値２以下になると（Ｓ１７、ＹＥＳ）、フルセグ放送データでタイムシフト再生を開始するための選択信号１７を選択再生制御部１３に出力する（Ｓ１８）。
【００４５】
閾値２は制御部１４にあらかじめ設定されている値である。フルセグ放送データによるタイムシフト再生に切り替えるタイミングは、ワンセグタイムシフト再生がワンセグリアルタイム視聴に追いつくタイミングである。よって閾値２の値は０となる。実際の閾値２はワンセグタイムシフト再生からフルセグタイムシフト再生へ切り替えるための処理時間などを考慮した値に設定する。
【００４６】
選択再生制御部１３は制御部１４から選択信号１７を受信すると記憶部１２から出力されるフルセグ放送データを選択しフルセグデマックス６に出力する（Ｓ１８）。制御部１４は選択再生制御部１３から出力されるフルセグ放送データを選択し、タイムシフト再生に対応する転送速度で放送データを出力するように制御信号２１をフルセグデマックス６に出力する（Ｓ１８）。制御部１４はフルセグ放送に切り替えるための選択信号１５を出力する（Ｓ１８）。セレクタ９は選択信号１５を受信すると、フルセグ復号部８から出力されるフルセグ放送データを選択し出力する（Ｓ１８）。
【００４７】
選択再生制御部１３から出力されるフルセグ放送データに基づいてフルセグデマックス６が抽出するＰＴＳ値をＰＴＳ４とする。制御部１４はＰＴＳ１とＰＴＳ４の差分（ＰＴＳ１−ＰＴＳ４）が制御部１４にあらかじめ設定された閾値３以下になるまでフルセグ放送データのタイムシフト再生を継続する（Ｓ１９、ＮＯ）。
【００４８】
閾値３は制御部１４にあらかじめ設定されている値である。リアルタイム視聴に切り替えるタイミングは、フルセグタイムシフト再生がフルセグリアルタイム視聴に追いつくタイミングである。よって閾値３の値は０となる。フルセグタイムシフト再生からフルセグリアルタイム視聴へ切り替えるための処理時間を考慮して閾値３を設定してもよい。
【００４９】
制御部１４は（ＰＴＳ１−ＰＴＳ４）が閾値３以下になると（Ｓ１９、ＹＥＳ）、タイムシフト再生からリアルタイムのフルセグ視聴に切り替えるための制御信号２１をフルセグデマックス６に出力する（Ｓ２０）。フルセグデマックス６は制御信号２１に応じてフルセグ復調部４から出力されるフルセグ放送データを選択し、出力する（Ｓ１８）。
【００５０】
すなわちデジタル放送を受信するワンセグチューナ１およびフルセグチューナ２から受信したフルセグ放送データおよびワンセグ放送データを再生するデジタル放送再生装置は、フルセグ放送データを再生すると共にフルセグ放送データに含まれる再生時刻情報であるＰＴＳ２２を抽出するフルセグ再生部２４と、フルセグ放送データに対応するワンセグ放送データを再生すると共にワンセグ放送データに含まれる再生時刻情報であるＰＴＳ２０を抽出するワンセグ再生部２３と、受信したフルセグ放送データおよびワンセグ放送データを記憶する記憶部１２と、視聴中断の指示があった場合にワンセグチューナ１で受信したワンセグ放送データを記憶部１２へ書き込み、視聴再開の指示があった場合に記憶部１２へ書き込んだワンセグ放送データをワンセグ再生部２３に通常の視聴よりも高速に再生させ、受信したフルセグ放送データから抽出したＰＴＳ２２および再生したワンセグ放送データから抽出したＰＴＳ２０に基づいて、再生されたワンセグ放送データが受信中のフルセグ放送データに追いつくと推定される時間より第一時間前にフルセグ放送データを記憶部１２へ書き込みを開始し、受信したワンセグ放送データおよび再生されたワンセグ放送データからそれぞれ抽出したＰＴＳ２０に基づいて、再生されたワンセグ放送データが受信中のワンセグ放送データに追いついた時に記憶部１２へ書き込んだフルセグ放送データをフルセグ再生部２４に通常の視聴よりも高速に再生させる制御部１４を有する。
【００５１】
以上の通りタイムシフト再生を録画したワンセグ放送データで実行し、ワンセグ放送とフルセグ放送とのタイムラグを補間するようにフルセグ放送データを録画再生することにより、最適な記憶容量でタイムシフト再生からタイムラグを生じることなくリアルタイム視聴に切替えるデジタル放送再生装置を提供することができる。
【００５２】
なおデジタル放送再生装置１０は図５に示す処理を実行するプロセッサを実装することにより、プロセッサによるプログラムの処理として図３に示す処理を実行することも可能である。
【００５３】
図４は図３のフローチャートの処理を行った際のタイムシフト再生のタイミングチャート図を示したものである。横軸の時間は放送データの記憶状態および出力状態に応じて区間Ａから区間Ｆに分けられる。
【００５４】
図４においてフルセグ受信データ４０はフルセグ復調部４からフルセグデマックス６に出力されるデータである。データ中の‘０’から‘２８’の数字はそれぞれフルセグ受信データ４０の表示時刻を表す。
【００５５】
ワンセグ受信データ４１はワンセグ復調部３からワンセグデマックス５に出力されるデータである。データ中の‘−３’から‘２５’の数字はそれぞれワンセグ受信データ４１の表示時刻を表す。同一番号を持つワンセグ受信データ４１とフルセグ受信データ４０は、番組上の同一タイミングの映像、音声データに対応する。
【００５６】
フルセグ記憶データ４２は記憶部１２に一時記憶されるフルセグ放送データである。記憶部１２は時刻Ｔ３から時刻Ｔ５までのフルセグ放送データをフルセグ記憶データ４２として記憶する。
【００５７】
ワンセグ記憶データ４３は記憶部１２に一時記憶されるワンセグ放送データである。記憶部１２は時刻Ｔ１から時刻Ｔ４までのワンセグ放送データをフルセグ記憶データ４２として記憶部１２に記憶する。
【００５８】
出力データ４４はセレクタ９から出力される放送データを示すものである。以下、図４のタイミングチャート図を図３のフローチャートにおけるステップ番号に対応させて各区間の動作を説明する。
【００５９】
区間Ａにおいてセレクタ９は視聴中のフルセグ放送データを出力データ４４として出力する（Ｓ１０）。
【００６０】
時刻Ｔ１において視聴が中断されると（Ｓ１１、ＹＥＳ）、記憶部１２は区間Ｂにおいてワンセグ記憶データ４３の通り受信中のワンセグ放送データを記憶する（Ｓ１２）。よって記憶部１２に記憶される未再生のデータは徐々に増加する。
【００６１】
時刻Ｔ２において視聴が再開されると（Ｓ１３、ＹＥＳ）、選択再生制御部１３はワンセグ記憶データ４３の通り記憶部１２に記憶したワンセグ放送データをワンセグ再生部２３へ出力する（Ｓ１４）。区間Ｃにおいてセレクタ９はワンセグ再生部２３によりタイムシフト再生されたワンセグ放送データを出力データ４４として出力する。よって区間Ｃにおいて記憶部１２に記憶される未再生のデータは徐々に減少する。
【００６２】
ワンセグデマックス５から出力されるＰＴＳとフルセグデマックス６から出力されるＰＴＳとの差分が閾値１以下になる時刻Ｔ３において（Ｓ１５、ＹＥＳ）、記憶部１２はフルセグ記憶データ４２の通りフルセグ放送データの記憶を開始する（Ｓ１６）。区間Ｄにおいて記憶部１２に記憶されるフルセグ放送データは徐々に増加する。一方、区間Ｄにおいてセレクタ９はタイムシフト再生されたワンセグ放送データを出力データ４４の通り出力する。単位時間当りのフルセグ放送データ量はワンセグ放送データ量よりも大きい。よって区間Ｄにおいて記憶部１２に記憶される未再生のデータは徐々に増加する。
【００６３】
ワンセグ復調部３から出力されるワンセグ放送データのＰＴＳ値と選択再生制御部１３から出力されるワンセグ放送データのＰＴＳ値との差分が閾値２以下になる時刻Ｔ４において（Ｓ１７、ＹＥＳ）、選択再生制御部１３は記憶部１２に記憶されたフルセグ放送データを出力データ４４の通り通常より高速に出力していく（Ｓ１８）。よって区間Ｅにおいて記憶部１２に記憶される未再生のデータは徐々に減少する。
【００６４】
受信中のフルセグ放送データのＰＴＳ値とタイムシフト再生されたフルセグ放送データのＰＴＳ値との差分が閾値３以下になる時刻Ｔ５において（Ｓ１９、ＹＥＳ）、制御部１４はフルセグタイムシフト再生からフルセグリアルタイム視聴に切り替える（Ｓ２０）。区間Ｆにおいて、セレクタ９は受信中のフルセグ放送データを出力データ４４の通り出力する。よって区間Ｆにおいて未再生の記憶データ量はゼロである。
【００６５】
以上の通り録画したワンセグ放送データでタイムシフト再生を実行し、ワンセグ放送とフルセグ放送とのタイムラグを補間するようにフルセグ放送データを録画再生することにより、最適な記憶容量でタイムシフト再生からタイムラグを生じることなくリアルタイム視聴に切替えるデジタル放送再生装置を提供することができる。
【００６６】
図５は記憶部１２における未再生記憶データ量の時間変化図である。図５の横軸は時間である。図５の時刻Ｔ１、Ｔ２、Ｔ３、Ｔ４、Ｔ５はそれぞれ図４の時刻Ｔ１、Ｔ２、Ｔ３、Ｔ４、Ｔ５に対応している。
【００６７】
図５のグラフ５０は視聴中断中のデジタル放送データを全てフルセグ放送データで記憶した場合の記憶部１２における未再生記憶データ量の時間変化である。グラフ５０において、未再生の記憶データ量は視聴再開される時刻Ｔ２に最大値となる。
【００６８】
図５のグラフ５０は本実施例に係る方法でデジタル放送データを記憶した場合の記憶部１２における見再生記憶データ量の時間変化である。本実施例では時刻Ｔ２における記憶量よりも時刻Ｔ４における未再生記憶データ量が大きくなっている。時刻Ｔ２、Ｔ４の未再生記憶データ量の大小関係は視聴中断時間によって異なる。
【００６９】
時刻Ｔ２においてグラフ５０とグラフ５１を比較すると、グラフ５１における未再生記憶データ量はグラフ５０における未再生記憶データ量の１／４０となる。
【００７０】
以上の通り録画したワンセグ放送データでタイムシフト再生を実行し、ワンセグ放送とフルセグ放送とのタイムラグを補間するようにフルセグ放送データを録画再生することにより、最適な記憶容量でタイムシフト再生からタイムラグを生じることなくリアルタイム視聴に切替えるデジタル放送再生装置を提供することができる。
【符号の説明】
【００７１】
１  ワンセグチューナ
２  フルセグチューナ
３  ワンセグ復調部
４  フルセグ復調部
５  ワンセグデマックス
６  フルセグデマックス
７  ワンセグ復号部
８  フルセグ復号部
９  セレクタ
１０  デジタル放送再生装置
１１  選択記憶制御部
１２  記憶部
１３  選択再生制御部
１４  制御部
１５、１６、１７  選択信号
１８  ユーザ指示信号
２０、２２  ＰＴＳ
１９、２１  制御信号
２３  ワンセグ再生部
２４  フルセグ再生部
【図１】
0005581661.tif 000002
【図２】
0005581661.tif 000003
【図３】
0005581661.tif 000004
【図４】
0005581661.tif 000005
【図５】
0005581661.tif 000006